(57)【要約】【課題】製造者の意図どおりに消費者による比較が行われ易くなり、展示スペースを省略することができる販売促進ツールを提供する。【解決手段】着用物品用の販売促進ツール１００は、対象の着用物品１の第１部分５０と同じ構成１５０を有する第１領域Ｒ１と、対象の着用物品１とは異なる非対象の着用物品の一部と同じ構成１５１を有する第２領域Ｒ２と、を含む単一の模型を有する。第２領域Ｒ２は、非対象の着用物品の、使用時に着用者の身体の上下方向に沿った中心線によって規定される軸に関して対象の着用物品１の第１部分とは対称な第２部分に相当する部分と同じ構成を有する。【選択図】図５
2018132745.tif 000002
【特許請求の範囲】
【請求項１】
着用物品用の販売促進ツールであって、
対象の着用物品の第１部分と同じ構成を有する第１領域と、前記対象の着用物品とは異なる非対象の着用物品の一部と同じ構成を有する第２領域と、を含む単一の模型を有し、
前記第２領域は、前記非対象の着用物品の、使用時に着用者の身体の上下方向に沿った中心線によって規定される軸に関して前記対象の着用物品の前記第１部分とは対称な第２部分に相当する部分と同じ構成を有する、販売促進ツール。
【請求項２】
前記第１領域及び前記第２領域は、着用物品の使用時と同じ向きに揃えられ、前記模型の中心軸を挟んで互いに向かい合っている、請求項１に記載の販売促進ツール。
【請求項３】
前記対象の着用物品の前記第１部分の外観は、前記対象の着用物品の前記第２部分の外観と対称な構造を有し、
前記第２領域の外観は、前記第１領域の外観とは非対称の構造を有する、請求項２に記載の販売促進ツール。
【請求項４】
前記模型を保持し、前記模型と接する当接面を有するホルダを備え、
前記当接面は、前記中心軸に関して対称である、請求項３に記載の販売促進ツール。
【請求項５】
前記模型は、前記中心軸を基点に折り返されている、請求項２から４のいずれか１項に記載の販売促進ツール。
【請求項６】
前記模型を保持し、前記模型と接する当接面を有するホルダを備え、
前記当接面は、前記中心軸の方向に湾曲している、請求項２から５のいずれか１項に記載の販売促進ツール。
【請求項７】
前記中心軸を挟んで両側の領域を接合する接合部が、前記中心軸上に形成されている、請求項２から６のいずれか１項に記載の販売促進ツール。
【請求項８】
前記模型は折り返されており、
前記販売促進ツールは、前記模型を展開できることを示す案内表示を有する、請求項１から７のいずれか１項に記載の販売促進ツール。
【請求項９】
前記案内表示は、前記模型を展開できることを示すとともに、前記第１領域と前記第２領域のうちの一方を示す、請求項８に記載の販売促進ツール。
【請求項１０】
前記模型は、前記対象の着用物品の前記中心線を含む中心領域に相当する領域を含まず、
前記第１領域と前記第２領域との間の距離は、前記対象の着用物品における前記第１部分と前記第２部分との間の距離よりも短い、請求項１から９のいずれか１項に記載の販売促進ツール。
【請求項１１】
前記第２領域は、前記第１領域と直接繋がっている、請求項１から１０のいずれか１項に記載の販売促進ツール。
【請求項１２】
請求項１から１１に記載の販売促進ツールを用いて前記対象の着用物品を紹介する方法。
【請求項１３】
請求項１から１１に記載の販売促進ツールと、
前記対称の着用物品を収容した収容体と、
前記収容体と前記販売促進ツールを陳列する棚と、を有する陳列体。
【発明の詳細な説明】
【技術分野】
【０００１】
本発明は、着用物品用の販売促進ツール、販売促進ツールを有する陳列体、及び販売促進ツールを用いた着用物品を紹介する方法に関する。
【背景技術】
【０００２】
商品が店頭に陳列される際、商品の近くにサンプルや販売促進用ツールが置かれることがある。特許文献１は、使い捨て吸収性物品用のディスプレイを開示している。このディスプレイは、消費者が吸収性物品の購入を決定する前に、吸収性物品のサンプルを調べることを可能とするためのツールである。
【０００３】
特許文献１に記載されたディスプレイは、２つの面を有する平面的で透明な保護カバーと、保護カバーに取り付けられる引き綱と、使い捨て吸収性物品と、を含む。使い捨て吸収性物品は、保護カバー内に密封されている。保護カバーは、使い捨て吸収性物品に面する位置に設けられた少なくとも１つの開口を有する。
【０００４】
特許文献１に記載されたディスプレイでは、消費者は、購入前に、使い捨て吸収性物品の見た目や肌触りを確認することができる。
【先行技術文献】
【特許文献】
【０００５】
【特許文献１】実用新案登録第３１６０９７１号公報
【発明の概要】
【発明が解決しようとする課題】
【０００６】
ある製品と、同種の別の製品とを比較したいというニーズや、ある製品と、同種の別の製品とを比較させたいというシーズが存在し得る。特に、製品の製造者は、製品をリニューアルした場合に、新しい製品の利点を古い製品との比較によってアピールしたいと考える。消費者が着用する製品、すなわち着用物品では、着用物品の見た目だけではなく、着用物品の肌触りが、消費者にとって重要であると考えられる。
【０００７】
したがって、店頭に、同種の複数の異なる着用物品に相当する複数のサンプル（販売促進ツール）を展示することが考えられる。しかしながら、複数のサンプルを展示した場合、製品を展示するスペースが狭くなったり、複数のサンプルによって製品及び／又は製品に関する情報が隠れてしまったりすることがある。
【０００８】
また、複数のサンプルが無造作に展示されている場合、製造者が比較して欲しいと思っている特定の２つのサンプル又は特定の箇所を消費者が実際に比較するとは限らない。
【０００９】
したがって、製造者の意図どおりに消費者による比較が行われ易くなり、展示スペースを省略することができる販売促進ツールが望まれる。
【課題を解決するための手段】
【００１０】
一態様に係る着用物品用の販売促進ツールは、対象の着用物品の第１部分と同じ構成を有する第１領域と、前記対象の着用物品とは異なる非対象の着用物品の一部と同じ構成を有する第２領域と、を含む単一の模型を有し、前記第２領域は、前記非対象の着用物品の、使用時に着用者の身体の上下方向に沿った中心線によって規定される軸に関して前記対象の着用物品の前記第１部分とは対称な第２部分に相当する部分と同じ構成を有する。
【００１１】
一態様に係る方法は、上記態様に係る販売促進ツールを用いて前記対象の着用物品を紹介する方法である。
【００１２】
一態様に係る陳列体は、上記態様に係る販売促進ツールと、前記対称の着用物品を収容した収容体と前記収容体と前記販売促進ツールを陳列する棚と、を有する。
【発明の効果】
【００１３】
製造者の意図どおりに消費者による比較が行われ易くなり、展示スペースを省略することができる販売促進ツールを提供することができる。
【図面の簡単な説明】
【００１４】
【図１】図１は、第１実施形態に係る販売促進の対象の着用物品の平面図である。
【図２】図２は、図１に示す着用物品の展開平面図である。
【図３】図３は、図２のＡ−Ａ線に沿った着用物品の断面図である。
【図４】図４は、第１実施形態における販売促進ツールの平面図である。
【図５】図５は、図４に示す販売促進ツールの展開平面図である。
【図６】図６は、図５のＢ−Ｂ線に沿った販売促進ツールの断面図である。
【図７】図７は、販売促進ツールの模型を保持するホルダの模式図である。
【図８】図８は、第２実施形態に係る折られた模型を備えた販売促進ツールの平面図である。
【図９】図９は、第３実施形態に係る折られた模型を備えた販売促進ツールの平面図である。
【図１０】図１０は、第４実施形態における販売促進の対象の着用物品の平面図である。
【図１１】図１１は、第４実施形態における販売促進ツールの平面図である。
【図１２】図１２は、第５実施形態における販売促進ツールの平面図である。
【図１３】図１３は、第６実施形態における販売促進ツールの平面図である。
【図１４】図１４は、第７実施形態における陳列棚を示す図である。
【発明を実施するための形態】
【００１５】
（１）実施形態の概要
本明細書及び添付図面の記載により、少なくとも以下の事項が明らかとなる。
【００１６】
一態様に係る着用物品用の販売促進ツールは、対象の着用物品の第１部分と同じ構成を有する第１領域と、前記対象の着用物品とは異なる非対象の着用物品の一部と同じ構成を有する第２領域と、を含む単一の模型を有し、前記第２領域は、前記非対象の着用物品の、使用時に着用者の身体の上下方向に沿った中心線によって規定される軸に関して前記対象の着用物品の前記第１部分とは対称な第２部分に相当する部分と同じ構成を有する。
【００１７】
本態様によれば、販売促進ツールに備わる模型は、対象の着用物品の第１部分と同じ構成を有する第１領域と、対象の着用物品とは異なる非対象の着用物品の一部と同じ構成を有する第２領域と、を含む。第２領域は、上記態様で規定するように、非対象の着用物品の、使用時に着用者の身体の上下方向に沿った中心線によって規定される軸に関して対象の着用物品の第１部分とは対称な第２部分に相当する部分と同じ構成を有する。このように、２つの互いに異なる製品の一部を模した部分が１つの模型に設けられている。このような販売促進ツールが店頭に展示されている場合、消費者は、製造者が比較して欲しいと思っている特定の２つの箇所、すなわち第１領域及び第２領域を実際に比較し易くなる。
【００１８】
また、対象の着用物品の第１部分と同じ構成を有する第１領域と、対象の着用物品とは異なる非対象の着用物品の一部と同じ構成を有する第２領域とが、１つの模型に含まれているため、２つの着用物品を別々にサンプルとして展示する場合と比較すると、販売促進ツールを展示するスペースは狭くてよい。そのため、販売すべき製品を展示するスペースが狭くなったり、製品及び／又は製品に関する情報が隠れてしまったりすることを抑制することができる。
【００１９】
好ましい一態様によれば、前記第１領域及び前記第２領域は、着用物品の使用時と同じ向きに揃えられ、前記模型の中心軸を挟んで互いに向かい合っている。
【００２０】
このような構成により、消費者が、模型の中心軸より左側を左手で、模型の中心軸より右側を右手で掴み易くなる。消費者がこのように模型を掴むと、片手が第１領域に触れ、もう一方の手が第２領域に触れ易くなる。したがって、第１領域と第２領域を触感で対比させ易くすることができる。また、模型がこのように構成されていることで、消費者は一目で第１領域と第２領域とを対比することができたり、第１領域と第２領域とを両手で同時に触り易くなったりする。
【００２１】
ここで、別々のサンプルを順番に触る場合、前に触ったサンプルの触感のイメージと、現在触っているサンプルの触感とを対比することになる。これに対し、両手で同時に第１領域と第２領域の触感を与えることを促すことで、消費者に、触感による対比をより正確に行わせることができる。
【００２２】
好ましい一態様によれば、販売促進ツールは、前記対象の着用物品の前記第１部分の外観は、前記対象の着用物品の前記第２部分の外観と対称な構造を有し、前記第２領域の外観は、前記第１領域の外観とは非対称の構造を有する。
【００２３】
対象の着用物品の対比させるべき部分の外観が対称であるにもかかわらず、模型の対応する部分の外観が非対称になっている。これにより、第１領域及び第２領域は、着用者の注意を惹き易い。したがって、消費者は、製造者が意図した部分、すなわち第１領域と第２領域を対比し易くなる。
【００２４】
好ましい一態様によれば、販売促進ツールは、前記模型を保持し、前記模型と接する当接面を有するホルダを備え、前記当接面は、前記中心軸に関して対称である。
【００２５】
第２領域の外観が前記第１領域の外観とは非対称の構造を有するにも関わらず、ホルダの当接面は中心軸に関して対称であるため、第２領域の外観と第１領域の外観との違いがより目立つ。したがって、第１領域及び第２領域は、着用者の注意をより惹き易くなる。よって、消費者は、製造者が意図した部分、すなわち第１領域と第２領域を対比し易くなる。
【００２６】
好ましい一態様によれば、前記模型は、前記中心軸を基点に折り返されている。
【００２７】
これにより、模型の平面的なサイズをより小さくすることができる。したがって、販売促進ツールを設置するスペースを狭くすることができる。また、模型の一部が隠れた状態になるため、消費者に模型を開きたいという好奇心を与えることができる。
【００２８】
好ましい一態様によれば、販売促進ツールは、前記模型を保持し、前記模型と接する当接面を有するホルダを備え、前記当接面は、前記中心軸の方向に湾曲している。
【００２９】
当接面が中心軸の方向に湾曲しているので、模型の平面的なサイズをより小さくすることができる。これにより、販売促進ツールを設置するスペースを狭くすることができる。
【００３０】
好ましい一態様によれば、前記中心軸を挟んで両側の領域を接合する接合部が、前記中心軸上に形成されている。
【００３１】
中心軸上に形成された接合部が目印となるため、消費者に、第１領域と第２領域が互いに異なる製品を模した部分であることを認識させ易くなる。これにより、消費者が、製造者が意図した部分、すなわち第１領域と第２領域を対比し易くなる。
【００３２】
好ましい一態様によれば、前記模型は折り返されており、前記販売促進ツールは、前記模型を展開できることを示す案内表示を有する。
【００３３】
これにより、案内表示によって折り畳まれた模型が展開できることを消費者に示すことができ、消費者に好奇心を与えることができる。
【００３４】
好ましい一態様によれば、前記案内表示は、前記模型を展開できることを示すとともに、前記第１領域と前記第２領域のうちの一方を示す。
【００３５】
案内表示が第１領域と第２領域のうちの一方、すなわち製造者が対比して欲しいと思う領域を示すことにより、消費者に意図どおりに対比するように促すことができる。
【００３６】
好ましい一態様によれば、前記模型は、前記対象の着用物品の前記中心線を含む中心領域に相当する領域を含まず、前記第１領域と前記第２領域との間の距離は、前記対象の着用物品における前記第１部分と前記第２部分との間の距離よりも短い。
【００３７】
これにより、模型のサイズをより小さくすることができるため、販売促進ツールの展示スペースを小さくすることができる。また、模型全体に対して第１領域及び第２領域が占める割合が大きくなるため、消費者は、製造者が意図した部分、すなわち第１領域と第２領域を対比し易くなる。
【００３８】
好ましい一態様によれば、前記第２領域は、前記第１領域と直接繋がっている。
【００３９】
これにより、模型のサイズをより小さくすることができるため、販売促進ツールの展示スペースを小さくすることができる。また、模型全体に対して第１領域及び第２領域が占める割合がより大きくなるため、消費者は、製造者が意図した部分、すなわち第１領域と第２領域をより対比し易くなる。
【００４０】
一態様に係る方法は、上記態様に係る販売促進ツールを用いて対象の着用物品を紹介する方法である。
【００４１】
上記態様に係る販売促進ツールを用いることで、対象の着用物品と非対象の着用物品との違い、特に対象の着用物品の利点、を容易に説明することができる。
【００４２】
一態様に係る陳列体は、上記態様に係る販売促進ツールと、前記対称の着用物品を収容した収容体と、前記収容体と前記販売促進ツールを陳列する棚と、を有する。
【００４３】
（２）第１実施形態
以下、図面を参照して、第１実施形態について説明する。なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００４４】
図１は、第１実施形態に係る販売促進の対象の着用物品の平面図である。図２は、図１に示す着用物品の展開平面図である。図３は、図２のＡ−Ａ線に沿った着用物品の断面図である。
【００４５】
本実施形態では、着用物品は、パンツ型の使い捨ておむつ１である。使い捨ておむつ１は、胴回り開口ＢＨ及び一対の脚回り開口ＬＨ，ＬＨを有する。胴回り開口ＢＨは、使い捨ておむつ１を着用する着用者の胴が挿入される開口である。一対の脚回り開口ＬＨ，ＬＨは、使い捨ておむつ１を着用する着用者の脚が挿入される開口である。
【００４６】
使い捨ておむつ１は、前後方向Ｌ及び幅方向Ｌを有する。前後方向Ｌは、着用者の腹側と背側とを結ぶ方向であり、展開された使い捨ておむつ１の長手方向に相当する。幅方向Ｌは、前後方向Ｌに直交する方向である。
【００４７】
使い捨ておむつ１は、着用者の腹側に位置する前胴回り域３と、着用者の背側に位置する後前胴回り域４と、前胴回り域３と後前胴回り域４との間の股下域５と、を有する。股下域５は、着用者の股下に位置する。
【００４８】
前胴回り域３と後前胴回り域４とは、幅方向Ｗにおける両端の接合部２において、互いに接合されている。これにより、使い捨ておむつ１がパンツ型に形成されている。なお、図２に示す展開図は、接合部２のところで前胴回り域３と後前胴回り域４とを展開した様子を示している。
【００４９】
使い捨ておむつ１は、吸収体１０と、トップシート２０と、バックシート３０と、防漏壁５０と、を有していてよい。トップシート２０は、着用者の肌側に位置しており、液透過性を有していてよい。バックシート３０は、着用者の非肌側に位置しており、液不透過性を有していてよい。吸収体１０は、少なくとも股下域５に設けられている。吸収体１０は、トップシート２０とバックシート３０との間に位置している。吸収体１０は、パルプ繊維等の液体吸収性繊維を含む吸収コア１１と、吸収コアを包むコアラップシート１２と、を含んでいてよい。
【００５０】
幅方向Ｗにおける吸収体１０の両側には、防漏壁５０が設けられている。防漏壁５０は、前後方向Ｌに沿って延びている。防漏壁５０は、使い捨ておむつ１の着用時には吸収体１０の側端部から起立して、排泄物が使い捨ておむつ１の外側に漏出するのを抑制する。防漏壁５０は、シート部材５０ｓを、前後方向Ｌに沿ったラインを基点に幅方向に折り畳むことによって形成される。防漏壁５０には、前後方向Ｌに伸縮可能な糸ゴムのような弾性部材５５が複数設けられている。この弾性部材５５によって防漏壁５０に前後方向Ｌに沿った伸縮性が付与され、使い捨ておむつ１の着用時に防漏壁５０が起立する。
【００５１】
シート部材５０ｓは、幅方向Ｗにおける吸収体１０の外側から内側へ折り返されており、さらに幅方向Ｗにおける内側の縁から外側へ折り返されている。折り返されたシート部材５０ｓの幅方向Ｗにおける内側の縁は、互いに接合された接合部６１を構成しており、シート部材５０ｓが開き難くなっている。
【００５２】
本実施形態の使い捨ておむつ１では、防漏壁５０のシート部材５０ｓを上述した略Ｓ字状の折り曲げ構造（図３参照）とすることで、排泄が行われた場合であっても着用者に不快感を与えにくくしつつ、股下に隙間が生じることを抑制することができる。
【００５３】
次に、上述した使い捨ておむつ１（対象の着用物品）の販売を促進させるための販売促進ツールについて説明する。図４は、第１実施形態における販売促進ツールの平面図である。図５は、図４に示す販売促進ツールの展開平面図である。図６は、図５のＢ−Ｂ線に沿った販売促進ツールの断面図である。
【００５４】
第１実施形態において、販売促進ツール１００は、幅方向Ｗにおいて中心軸ＣＬよりも一方の側と、幅方向Ｗにおいて中心軸ＣＬよりも他方の側とで、異なる構造を有する。
【００５５】
具体的には、販売促進ツール１００は、対象の使い捨ておむつ１の第１部分、ここでは防漏壁５０と同じ構成の防漏壁１５０を有する第１領域Ｒ１と、対象の使い捨ておむつ１とは異なる非対象の使い捨ておむつの一部と同じ構成（別の防漏壁）１５１を有する第２領域Ｒ２と、を含む単一の模型を有する。すなわち、模型は、対象の使い捨ておむつ１を模した構造を有するが、一部において対象の使い捨ておむつ１とは異なる構造を有する。
【００５６】
第２領域Ｒ２は、非対象の使い捨ておむつの、使用時に着用者の身体の上下方向に沿った中心線によって規定される軸に関して対象の使い捨ておむつ１の第１部分（一方の防漏壁５０）とは対称な第２部分（他方の防漏壁５０）に相当する部分と同じ構成を有する。すなわち、販売促進ツール１００の模型は、互いに異なる使い捨ておむつ１の一部の構造を組み合わせた非対称な構造を有する。本実施形態では、模型の中心軸ＣＬよりも右側の構造が、対象の使い捨ておむつ１と同じ構造を有する。一方で、模型の中心軸ＣＬよりも左側の構造が、非対象の使い捨ておむつと同じ構造を有する。
【００５７】
ここで、非対象の使い捨ておむつは、同種の物品の別の製品であってよい。同種の物品とは、同じ機能及び用途を有する物品である。例えば、非対象の使い捨ておむつは、対象の使い捨ておむつ１の前のバージョンに係る製品、すなわちリニューアル前の旧製品であってよい。非対象の使い捨ておむつは、現存しない製品であってもよい。また、非対象の使い捨ておむつは、対象の使い捨ておむつ１と対比させるための仮想的な物品であってもよく、実際に消費者向けに販売されている製品に限られない。
【００５８】
具体的には、模型の右側は、使い捨ておむつ１と同様に、前胴回り域１０３と、後前胴回り域１０４と、股下域１０５と、を有する。さらに模型の右側は、吸収体１１０と、トップシート１２０と、バックシート１３０と、第１防漏壁１５０と、を有している。吸収体１１０は、吸収コア１１１と、吸収コアを包むコアラップシート１１２と、を含む。第１防漏壁１５０は、対象の使い捨ておむつ１と同様の構成を有する。
【００５９】
一方、模型の左側は、模型の右側と同様に、吸収体１１０と、トップシート１２０と、バックシート１３０と、第２防漏壁１５１と、を有する。ただし、第２防漏壁１５１の構造は、第１防漏壁１５０の構造とは異なる。具体的には、第２防漏壁１５１を構成するシート部材は、幅方向Ｗにおける内側で折り返されておらず、接合部６１に相当する接合部１６１を備えていない。また、第２防漏壁１５１を構成する弾性部材１５６の配置が、第１防漏壁１５０を構成する弾性部材１５５の配置と異なっている。これにより、第１防漏壁１５０の起立の仕方は、第２防漏壁１５１の起立の仕方と異なっている。
【００６０】
模型の第２領域Ｒ２は、上記態様で規定するように、非対象の使い捨ておむつの、使用時に着用者の身体の上下方向に沿った中心線によって規定される軸に関して対象の使い捨ておむつ１の第１部分（一方の防漏壁５０）とは対称な第２部分（他方の防漏壁５０）に相当する部分と同じ構成（第２防漏壁１５１）を有する。このように、２つの互いに異なる製品の一部を模した部分が１つの模型に設けられている。このような販売促進ツール１００が店頭に展示されている場合、消費者は、製造者が比較して欲しいと思っている特定の２つの箇所、すなわち第１領域Ｒ１及び第２領域Ｒ２を実際に比較し易くなる。
【００６１】
また、対象の使い捨ておむつ１の第１部分（一方の防漏壁５０）と同じ構成（第１防漏壁１５０）を有する第１領域Ｒ１と、対象の使い捨ておむつとは異なる非対象の着用物品の一部と同じ構成（第２防漏壁１５１）を有する第２領域Ｒ２とが、１つの模型に含まれているため、２種類の使い捨ておむつを別々にサンプルとして展示する場合と比較すると、販売促進ツール１００を展示するスペースは狭くてよい。そのため、販売すべき製品を展示するスペースが狭くなったり、製品及び／又は製品に関する情報が隠れてしまったりすることを抑制することができる。
【００６２】
図４及び図５に示すように、第１領域Ｒ１及び第２領域Ｒ２は、対象の使い捨ておむつ１の使用時と同じ向きに揃えられ、模型の中心軸ＣＬを挟んで互いに向かい合っていることが好ましい。
【００６３】
このような構成により、消費者が、模型の中心軸ＣＬより左側を左手で、模型の中心軸より右側を右手で掴み易くなる。消費者がこのように模型を掴むと、片手が第１領域Ｒ１に触れ、もう一方の手が第２領域Ｒ２に触れ易くなる。したがって、第１領域Ｒ１と第２領域Ｒ２を触感で対比させ易くすることができる。また、模型がこのように構成されていることで、消費者は一目で第１領域Ｒ１と第２領域Ｒ２とを対比することができたり、第１領域Ｒ１と第２領域Ｒ２とを両手で同時に触り易くなったりする。
【００６４】
ここで、別々のサンプルを順番に触る場合、前に触ったサンプルの触感のイメージと、現在触っているサンプルの触感とを対比することになる。これに対し、両手で同時に第１領域Ｒ１と第２領域Ｒ２の触感を与えることを促すことで、消費者に、触感による対比をより正確に行わせることができる。
【００６５】
販売促進ツール１００は、対象の使い捨ておむつ１の第１部分５０の外観は、対象の使い捨ておむつ１の第２部分の外観と対称な構造を有し、第２領域Ｒ２の外観は、第１領域Ｒ１の外観とは非対称の構造を有することが好ましい。すなわち、対象の使い捨ておむつ１の対比させるべき部分（第１部分５０）の外観が対称であるにもかかわらず、模型の対応する部分の外観が非対称になっている。これにより、第１領域Ｒ１及び第２領域Ｒ２は、着用者の注意を惹き易い。したがって、消費者は、製造者が意図した部分、すなわち第１領域Ｒ１と第２領域Ｒ２を対比し易くなる。
【００６６】
より好ましくは、対象の使い捨ておむつ１全体の外観が、前後方向Ｌに延びる中心線に関して対称であり、販売促進ツール１００の模型全体の外観が中心軸ＣＬに関して非対称である。これにより、対象の使い捨ておむつ１が対称な外観であるにもかかわらず、模型が非対称な外観になっているため、消費者は、模型の非対称な領域、すなわち第１領域Ｒ１と第２領域Ｒ２に着目し易い。これにより、消費者は、製造者が意図した部分、すなわち第１領域Ｒ１と第２領域Ｒ２をより対比し易くなる。
【００６７】
模型の中心軸ＣＬを挟んで両側の領域を接合する接合部が、中心軸ＣＬ上に形成されていてもよい。すなわち、模型は、対象の使い捨ておむつ１と非対象の使い捨ておむつとを中心軸ＣＬ上の接合部で互いに繋ぎ合わせることによって構成されていてよい。これにより、中心軸ＣＬ上に形成された接合部が目印となるため、消費者に、第１領域Ｒ１と第２領域Ｒ２が互いに異なる製品を模した部分であることを認識させ易くなる。これにより、消費者が、製造者が意図した部分、すなわち第１領域Ｒ１と第２領域Ｒ２を対比し易くなる。
【００６８】
販売促進ツール１００は、模型を保持し、模型と接する当接面を有するホルダ２００を備えていてもよい。例えば、模型は、ホルダ２００の当接面に貼り付けられる。ホルダ２００は、模型を店頭に設置するための紐のような設置部２０２を有していてもよい。
【００６９】
好ましくは、ホルダ２００の当接面、具体的には、模型と当接している領域の形状は、模型の中心軸ＣＬに関して対称である。第２領域Ｒ２の外観が第１領域Ｒ１の外観とは非対称の構造を有するにも関わらず、ホルダ２００の当接面が中心軸ＣＬに関して対称であるため、第２領域Ｒ２の外観と第１領域Ｒ１の外観との違いがより目立つ。したがって、第１領域Ｒ１及び第２領域Ｒ２は、着用者の注意をより惹き易くなる。よって、消費者は、製造者が意図した部分、すなわち第１領域Ｒ１と第２領域Ｒ２を対比し易くなる。
【００７０】
また、図７に示すように、ホルダ２００の当接面は、中心軸の方向に湾曲していてよい。ホルダ２００の当接面が中心軸の方向に湾曲しているので、模型の平面的なサイズをより小さくすることができる。これにより、販売促進ツールを設置するスペースを狭くすることができる。
【００７１】
また、対比の対象となる領域、すなわち第１領域Ｒ１と第２領域Ｒ２の少なくとも一方、好ましくは両方は、弾性部材を含む伸縮可能領域であってよい。伸縮可能領域は、自然状態において、弾性部材の作用により収縮するため、一目で第１領域Ｒ１と第２領域Ｒ２の違いを認識し難い場合がある。このような伸縮可能領域について、実際に触れる模型によって視覚及び触覚により対比させることによって、消費者に、第１領域Ｒ１と第２領域Ｒ２の違いをより認識させることができる。
【００７２】
また、模型の第１領域Ｒ１と第２領域Ｒ２の少なくとも一方、好ましくは第１領域Ｒ１のまわりに、視覚的に目立たせるための着色が施されていても良い。これにより、より消費者の注意を惹くことができる。さらに、模型に施された上記着色は、対象の使い捨ておむつ１を収容する収容体（パッケージ）の背景色と同じ色であることが好ましい。
【００７３】
（３）第２実施形態
以下、図面を参照して、第２実施形態について説明する。なお、以下の図面の記載において、同一又は類似の部分には、同一又は類似の符号を付している。
【００７４】
図８は、第２実施形態に係る折られた模型を備えた販売促進ツール１００の平面図である。販売促進ツール１００は、第１実施形態と同じ模型を有する。本実施形態では、模型は、中心軸ＣＬを基点に折り返されている。具体的には、模型は、ホルダ２００の縁辺に沿って折られていてよい。
【００７５】
これにより、模型の平面的なサイズをより小さくすることができる。したがって、販売促進ツールを設置するスペースを狭くすることができる。また、模型の一部が隠れた状態になるため、消費者に模型を開きたいという好奇心を与えることができる。
【００７６】
（４）第３実施形態
以下、図面を参照して、第３実施形態について説明する。なお、以下の図面の記載において、同一又は類似の部分には、同一又は類似の符号を付している。
【００７７】
図９は、第３実施形態に係る折られた模型を備えた販売促進ツールの平面図である。販売促進ツール１００は、第１実施形態と同じ模型を有する。本実施形態では、模型は、第２実施形態と同様に、中心軸ＣＬを基点に折り返されており、さらに幅方向Ｗに沿った折り線ＦＬを基点に折り返されている。具体的には、模型は、ホルダ２００の２つの縁辺に沿って折られていてよい。これにより、模型の平面的なサイズをより小さくすることができる。したがって、販売促進ツールを設置するスペースを狭くすることができる。
【００７８】
また、販売促進ツール１００は、模型を展開できることを示す案内表示２１０を有していてよい。案内表示２１０は、例えば文字、記号、図柄等によって構成されていてよい。図９に示す例では、案内表示２１０は、「Ｏｐｅｎ」のような文字２１１及び矢印のような記号２１２を含む。
【００７９】
案内表示２１０によって折り畳まれた模型が展開できることを消費者に示すことができ、消費者に好奇心を与えることができる。これにより、消費者に、対象の使い捨ておむつ１に興味を与えやすくなる。
【００８０】
案内表示２１０は、模型を展開できることを示すとともに、模型の第１領域Ｒ１と第２領域Ｒ２のうちの一方を示すことが好ましい。具体的には、折り畳まれた模型を展開したときに、案内表示２１０、本実施形態では記号２１２が、第１領域Ｒ１と第２領域Ｒ２のうちの一方を示すように構成されている。
【００８１】
案内表示２１０が第１領域Ｒ１と第２領域Ｒ２のうちの一方、すなわち製造者が対比して欲しいと思う領域を示すことにより、消費者に意図どおりに対比するように促すことができる。
【００８２】
（５）第４実施形態
以下、図面を参照して、第３実施形態について説明する。なお、以下の図面の記載において、同一又は類似の部分には、同一又は類似の符号を付している。
【００８３】
図１０は、第４実施形態に係る販売促進の対象の着用物品の平面図である。本実施形態では、着用物品は、テープ型の使い捨ておむつ１ａである。テープ型の使い捨ておむつ１ａは、一対のファスニングテープ７０によって着用者の腰回りに取り付けられる。使い捨ておむつ１ａは、着用者の腹側に位置する前胴回り域３と、着用者の背側に位置する後前胴回り域４と、前胴回り域３と後前胴回り域４との間の股下域５と、を有する。ファスニングテープ７０は、後前胴回り域４に設けられていてよい。
【００８４】
後前胴回り域４における一対のファスニングテープ７０どうしの間の領域には、伸縮可能な弾性部材２３が設けられている。一対のファスニングテープ７０を幅方向Ｗにおける外側へ引っ張ると、後前胴回り域４が伸張するように変形可能となっている。
【００８５】
図１１は、第４実施形態における販売促進ツールの平面図である。具体的には、販売促進ツール１００ａは、対象の使い捨ておむつ１ａの第１部分、ここでは後前胴回り域４の弾性部材２３と同じ構成（弾性部材１２３）を有する第１領域Ｒ１と、対象の使い捨ておむつ１とは異なる非対象の使い捨ておむつの一部と同じ構成を有する第２領域Ｒ２と、を含む単一の模型を有する。第１実施形態と同様に、第２領域Ｒ２は、非対象の使い捨ておむつの、使用時に着用者の身体の上下方向に沿った中心線によって規定される軸に関して対象の使い捨ておむつ１の第１部分Ｒ１とは対称な第２部分に相当する部分と同じ構成を有する。すなわち、販売促進ツール１００の模型は、互いに異なる使い捨ておむつ１の一部の構造を組み合わせた非対称な構造を有する。本実施形態では、第２領域は、後胴回り域の弾性部材１２３が存在しない領域によって規定される。
【００８６】
第１実施形態及び第４実施形態からわかるように、単一の模型における消費者に対比させたい領域、すなわち第１領域Ｒ１及び第１領域Ｒ２は、使い捨ておむつ１ａの任意の箇所であってよい。
【００８７】
（６）第５実施形態
以下、図面を参照して、第５実施形態について説明する。なお、以下の図面の記載において、同一又は類似の部分には、同一又は類似の符号を付している。
【００８８】
図１２は、第５実施形態における販売促進ツールの平面図である。本実施形態において、販売促進の対象となる着用物品は、図１０に示す使い捨ておむつ１である。
【００８９】
本実施形態では、販売促進ツール１００ｂは、第４実施形態で説明した販売促進ツール１００ａから、中心軸ＣＬを含む中心領域を除去した構成となっている。すなわち、販売促進ツール１００ｂの模型は、対象の使い捨ておむつの中心線を含む中心領域に相当する領域を含まず、第１領域Ｒ１と第２領域Ｒ２との間の距離は、対象の着用物品１における第１部分（第１領域Ｒ１に対応する部分）と第２部分（第２領域Ｒ２に対応する部分）との間の距離よりも短い。
【００９０】
これにより、幅方向Ｗにおいて模型のサイズをより小さくすることができるため、販売促進ツール１００ｂの展示スペースを小さくすることができる。また、模型全体に対して第１領域Ｒ１及び第２領域Ｒ２が占める割合が大きくなるため、消費者は、製造者が意図した部分、すなわち第１領域Ｒ１と第２領域Ｒ２を対比し易くなる。
【００９１】
また、第５実施形態では、模型は、吸収体１０に相当する構成を含んでいない。そのため、第１実施形態で説明した模型よりも、模型の製造コストを削減することも可能である。
【００９２】
（７）第６実施形態
以下、図面を参照して、第６実施形態について説明する。なお、以下の図面の記載において、同一又は類似の部分には、同一又は類似の符号を付している。
【００９３】
図１３は、第６実施形態における販売促進ツールの平面図である。本実施形態において、販売促進の対象となる着用物品は、図１０に示す使い捨ておむつ１である。
【００９４】
本実施形態では、販売促進ツール１００ｃは、第５実施形態で説明した販売促進ツール１００ａから、中心軸ＣＬを含む中心領域をさらに除去した構成となっている。本実施形態では、第２領域Ｒ２は、第１領域Ｒ１と直接繋がっている。言い換えると、対比の対象となる第１領域Ｒ１と第２領域Ｒ１との間に、対比の対象ではない領域が存在しない。より好ましくは、模型は、対比の対象となる領域のみ、すなわち第１領域Ｒ１と第２領域Ｒ１のみから構成される。
【００９５】
これにより、模型のサイズをより小さくすることができるため、販売促進ツールの展示スペースを小さくすることができる。また、模型全体に対して第１領域Ｒ１及び第２領域Ｒ２が占める割合がより大きくなるため、消費者は、製造者が意図した部分、すなわち第１領域Ｒ１と第２領域Ｒ２をより対比し易くなる。
【００９６】
また、模型に含まれる構成を最小限に抑えることで、模型の製造コストをより削減することも可能である。
【００９７】
（８）第７実施形態
以下、図面を参照して、第７実施形態について説明する。なお、以下の図面の記載において、同一又は類似の部分には、同一又は類似の符号を付している。
【００９８】
図１４は、販売促進ツール１００と、販売促進の対象の着用物品を収容した収容体３００と、それらを陳列するための棚４００と、を含む陳列体を示している。複数の販売促進ツール１００及び収容体３００が棚４００に陳列されている。収容体３００は、対象の着用物品を収容するパッケージを有する。なお、対象の着用物品及び販売促進ツールについては、前述の実施形態で説明したとおりである。
【００９９】
収容体３００の正面には、商品名が記載されていてよい。収容体３００の正面には、特定の文字、記号、図柄及び／又は写真のような表示部３１０が設けられている。
【０１００】
販売促進ツール１００には、対象の着用物品を収容した収容体３００の正面に設けられた表示部３１０と同様の文字、記号、図柄及び／又は写真から構成される表示部１１０を有する。販売促進ツール１００に設けられた表示部１１０は、ホルダ２００に設けられていても良く、模型に直接設けられていても良い。
【０１０１】
販売促進ツール１００と収容体３００に同様の表示部１１０，３１０を設けることによって、消費者は、販売促進ツール１００で示されている対象の着用物品が収容された製品を容易に特定することができる。
【０１０２】
複数の収容体３００と複数の販売促進ツール１００が棚４００に並べられていてよい。複数の収容体３００は、水平方向に並べられており、複数の販売促進ツール１００は、複数の収容体３００の上又は下に陳列されていることが好ましい。より好ましくは、複数の販売促進ツール１００は、棚４００における収容体３００が置かれた段と、その段の上側又は下側に隣接する段との間に配置される。
【０１０３】
これにより、陳列用の棚４００を上から下、又は下から上に見た消費者が、販売促進ツール１００と収容体３００とを容易に対応づけることができる。特に、消費者の視線は、棚４００の上から下、又は下から上に連続的に移動することが多いので、販売促進ツール１００が収容体３００の上又は下に配置されていることにより、消費者は、販売促進ツール１００に対応する収容体を棚４００からより容易に見つけることができる。
【０１０４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１０５】
例えば、上述の実施形態で説明した各特徴は、可能な限り、互いに交換、及び／又は組み合わせ可能である。
【０１０６】
上記実施形態では、販売促進の対象の着用物品として使い捨ておむつを例に挙げて説明した。しかしながら、対象の着用物品は、使い捨ておむつに限定されず、使い捨ておむつ、生理用ナプキン及び失禁用パッドのような吸収性物品やマスクのように、人に着用される物品であればよい。消費者は、特に着用物品について、その触感を確かめた後に購入したいと考えることが多いため、上記の販売促進ツールによるメリットが高いと考えられる。
【符号の説明】
【０１０７】
１，１ａ    使い捨ておむつ
１００，１００ａ，１００ｂ，１００ｃ    販売促進ツール
Ｒ１    第１領域
Ｒ２    第２領域
【図１】
2018132745.tif 000003
【図２】
2018132745.tif 000004
【図３】
2018132745.tif 000005
【図４】
2018132745.tif 000006
【図５】
2018132745.tif 000007
【図６】
2018132745.tif 000008
【図７】
2018132745.tif 000009
【図８】
2018132745.tif 000010
【図９】
2018132745.tif 000011
【図１０】
2018132745.tif 000012
【図１１】
2018132745.tif 000013
【図１２】
2018132745.tif 000014
【図１３】
2018132745.tif 000015
【図１４】
2018132745.tif 000016